(57)【要約】【課題】コイン排除動作を確実に実行でき、高い信頼性を有するコインセレクタを提供する。【解決手段】入口１１０から出口１１１に向けてコインＣを転動させるコイン通路１０３と、コイン通路１０３に突出してコインＣをコイン通路１０３から排除するコイン排除位置Ｐ２とコイン通路から退出してコインの通過を許容するコイン受入位置Ｐ１とに変位可能なゲート３０２と、ゲート３０２よりもコイン通路１０３の出口１１１側に配置された支軸３０６に回動自在に支持され、かつ、先端にゲート３０３を有する揺動レバ３０４と、を備えるコインセレクタである。【選択図】図９
2012160087.tif 000002
【特許請求の範囲】
【請求項１】
入口（１１０）から出口（１１１）に向けてコイン（Ｃ）を転動させるコイン通路（１０３）と、
前記コイン通路（１０３）に突出して前記コイン（Ｃ）を前記コイン通路（１０３）から排除するコイン排除位置（Ｐ２）と前記コイン通路から退出して前記コインの通過を許容するコイン受入位置（Ｐ１）とに変位可能なゲート（３０２）と、
前記ゲート（３０２）よりも前記コイン通路（１０３）の出口（１１１）側に配置された支軸（３０６）に回動自在に支持され、かつ、先端に前記ゲート（３０２）を有する揺動レバ（３０４）と、
を備えるコインセレクタ。
【請求項２】
前記ゲート（３０２）および前記揺動レバ（３０４）の全体が平面視Ｌ字状である請求項１に記載のコインセレクタ。
【請求項３】
前記揺動レバ（３０４）が、前記ゲート（３０２）が前記コイン排除位置（Ｐ２）側に向かう方向に付勢されている請求項１に記載のコインセレクタ。
【請求項４】
前記ゲート（３０２）が、前記コイン通路（１０３）の延在方向（ＤＲ）に垂直な垂直面を鉛直軸線の回りに所定角度回転した面からなる斜面（３０３）を有している請求項１に記載のコインセレクタ。請求項１に記載のコインセレクタ。
【請求項５】
前記コイン通路（１０３）に突出する前記ゲート（３０２）が前記コイン通路（１０３）内を転動する前記コイン（Ｃ）の下端部周縁に接触可能な位置に、前記ゲート（３０２）が配置される請求項１に記載のコインセレクタ。
【請求項６】
前記コイン通路（１０３）において前記コイン（Ｃ）の外周面を上方および下方から案内するガイドレール（１０４、２０２）を備える請求項５に記載のコインセレクタ。
【請求項７】
前記揺動レバ（３０４）に接続されると共に前記支軸（３０６）に支持された係止部（３１０）と、
前記係止部（３１０）に係止溝（３１４）を係止しながら摺動することで前記揺動レバ（３０４）を回動させるスライド部材（３１２）と、
前記スライド部材（３１２）を摺動させる駆動手段（３２０）と、
を備える請求項１に記載のコインセレクタ。
【請求項８】
前記ゲート（３０２）が、前記コイン（Ｃ）の接触に対して耐摩耗性を有するフッ素樹脂により形成される請求項１に記載のコインセレクタ。
【請求項９】
前記ゲート（３０２）が、ポリテトラフルオロエチレンにより形成される請求項１に記載のコインセレクタ。
【発明の詳細な説明】
【技術分野】
【０００１】
本発明は、投入されたコインを真正コインと偽コインに選別するコインセレクタに関し、詳しくはスロットマシン等の遊技機に好適に使用され、排除すべきコインを確実に排除できるコインセレクタに関する。
【０００２】
なお、本明細書で使用する「コイン」とは、硬貨、円盤形のメダルおよびトークン等の総称である。
【背景技術】
【０００３】
パチスロなどのスロットマシンに使用されるコインセレクタは従来より種々提案されており、例えば、特許文献１および特許文献２に開示されたものがある。
【０００４】
特許文献１のコインセレクタは、入口から出口まで下降するコイン通路と、コイン通路に突出したキャンセル位置と通路から退出した退避位置を選択的にとることができる第１ゲート手段と、第１ゲート手段よりも入口側にあってコイン通路に突出したキャンセル位置と通路から退出した退避位置とを選択的にとることができる第２ゲート手段とを備える転動式コインセレクタにおいて、コイン通路がほぼ垂直な下降部と、下降部に続く弧状部と、弧状部に続く斜面部とより形成され、第１ゲート手段は、コイン通路の斜面部に配置され、かつコイン通路を横断する突部およびその突部に続いて上流側から突部に向けて形成された弧状部を有すると共に、通常付勢手段によりキャンセル位置に突出された構成とされ、第２ゲート手段は、コイン通路の弧状部に配置され、かつ枢軸に回動自在に枢着されていると共にコイン通路の上流側から下流側に向かって漸次通路側に突出するカム面を有し、該カム面が通常付勢手段によりキャンセル位置に付勢されていると共に、第１ゲート手段の退避動の途中で第１ゲート手段の突起に、該突起と対応位置している第２ゲート手段の突起が係合して伴連れされて退避位置に移動するような構成とされている。
【０００５】
上記特許文献１の従来のコインセレクタでは、コインが連続してゲート手段に到達しても、第１および第２のゲート手段により個別にキャンセルする（すなわち、コイン通路から排除する）ことができ、コイン通路を転動するコインの速度が大きくなっても確実に余分なコインの通過を阻止できるようになっている。このため、第１ゲート手段にコイン２個分の衝撃力が加わることがないので、応答性向上のために軽量化しても耐久性が低下しない。
【０００６】
また、第１ゲート手段がコイン通路を横断する突部およびその突部に続いて上流側から突部に向けて形成された弧状部を有するので、コインが既に突部の前方に来てしまった場合はその突部で押し出すことにより、また、コインが突部の直前に来ているときは突部で係止して後弧状部で押し出すことにより、さらに、弧状部がコイン通路に位置しているときはその弧状部でガイドすることにより、ガイドレールからコインを外して落下させるので、コインがコイン通路のどの位置にあっても確実に排除できるようになっている。
【０００７】
さらに、第２ゲート手段が枢軸に回動自在に枢着されてスプリングによりキャンセル位置に付勢され、第１ゲート手段の退避動の途中で第１ゲート手段に係合して伴連れされて退避位置に移動するよう構成することにより、第１ゲート手段の突出時は第１ゲート手段のスプリングと第２ゲート手段とのスプリングとで付勢されるので移動速度が向上する。
【０００８】
特許文献２の投入メダル選別装置は、立姿で対向する基板と開閉板との対向面間に、メダルを自重により縦方向から横方向へと転動させて通過させるＬ形状のメダル通路と、前記メダル通路の途中には、該メダル通路と対向する部位の開閉板側に開口してメダル類を排除させる排除口と、前記排除口と対向する前記メダル通路の位置には、前記基板の外壁面側より延出させて、該メダル通路のメダル取込み位置とメダル排除位置とに可動変位させ、ここに導かれたメダルをメダル取込み位置側とメダル排除位置側とに振分ける可動ガイド板と、前記可動ガイド板をメダル排除位置側に付勢させる付勢手段と、前記付勢手段の付勢力に抗して前記可動ガイド板をメダル取込み位置側に可動変位させる駆動手段と、前記駆動手段の駆動に連動して基板の外壁面側より前記排除口と対向するメダル通路の部位から没入させる排除ガイド部材と、前記メダル通路を通過するメダルの通過を検知する検知手段とを設けた投入メダル選別装置であって、前記メダル通路を挟んで対向する一方に配設された前記排除ガイド部材と他方に配設されたメダルガイド部との間を流下するメダルに、前記排除ガイド部材が接触することに基づいて該メダルの流下抵抗が高まったとき、前記可動ガイド板のガイド動作を保持したまま、前記排除ガイド部材を前記メダル通路に突出した位置から一時的に退避させる一時退避手段を備えている。
【０００９】
上記特許文献２の投入メダル選別装置では、排除ガイド部材の排除タイミングのずれによって排除ガイド部材が通過すべきメダルに接触しても、排除ガイド部材を一時退避させる一時退避手段によってメダルを通過させることができるため、メダルの通過は妨げられなくなる。したがって、メダルの飲込みを防止するバネ圧の高い応答性を有するメダルの排除ガイド機能を構成しても、メダルと接触する排除ガイド部材を一時的に退避動作させることによって、メダルの詰りや誤排除を確実に防止できる。
【先行技術文献】
【特許文献】
【００１０】
【特許文献１】特許第４２３５７２３号公報（図２、図７、図１２、段落番号００１２、００４８〜００５６）
【特許文献２】特開２００６−２９６５４６号公報（図３、図６、段落番号００２１〜００２３）
【発明の概要】
【発明が解決しようとする課題】
【００１１】
上記特許文献１に開示された従来のコインセレクタでは、次のような問題がある。
【００１２】
第１ゲート手段は、キャンセル位置において突出側に付勢する付勢手段を有しており、弧状部でコインを受け、かつ、衝撃が大きい場合は、弧状部に働く分力により付勢力に抗して退避して衝撃を緩和できるよう構成されている。換言すれば、弧状部に働く分力が第１ゲート手段に退出位置に向かわせる力を及ぼすことになる。したがって、第１ゲート手段のキャンセル位置への移動が抑制されることになり、排除動作の応答速度が低下するという問題がある。排除動作の応答速度が十分でないと、本来第１ゲート手段でキャンセルされるべきコインが排除されずに受け入れられてしまう、所謂「呑み込み」を生じる虞があり、排除動作の信頼性が低下する。
【００１３】
また、コインが第１ゲート手段の突部の直前に来ているときは、その突部で係止した後に弧状部で押し出すことになる。そのため、転動するコインが第１ゲート手段の突部に衝突し、その際の衝撃により第１ゲート手段の突部に磨耗が生じるという問題がある。この問題を解決するには、第１ゲート手段に軽量かつ耐摩耗性の高い材料、例えば、テフロン（登録商標）を使用すればよい。しかし、突部と弧状部とを有する第１ゲート手段の体積は比較的大きく、第１ゲート手段をテフロンにより形成するとコストアップとなるので、俄かには採用し難い。
【００１４】
他方、上記特許文献２に開示された従来の投入メダル選別装置では、応答速度の向上についてはバネ圧を高めることのみに頼っている。一般にバネ圧を高くすると、そのバネ圧に抗して可動ガイド板を移動させるには大きな駆動力が必要となるので、駆動手段が大型化しコストアップとなるばかりか、駆動時の消費エネルギも大きくなってしまう。そのため、バネ圧には限界があり、必ずしも十分な応答速度が得られないという問題がある。
【００１５】
さらに、排除ガイド部材がメダルと接触することにより排除ガイド部材が磨耗するという問題がある。排除ガイド部材にテフロンを使用すれば耐磨耗性は向上するものの、排除ガイド部材のみならず一時退避手段を含めてテフロンにより形成する必要があるため、コストが増加してしまう。排除ガイド部材のみをテフロンにより形成することも考えられるが、個別に作製された排除ガイド部材を一時退避手段へ取付ける必要があるため、構造が複雑となりコストアップとなるという問題がある。
【００１６】
本発明は、上述した従来技術の問題を考慮してなされたものであり、その目的とするところは、コイン排除動作の応答速度を十分に高めることのできるコインセレクタを提供することにある。
【００１７】
本発明の他の目的は、コイン排除動作を確実に実行でき、呑み込みや詰まりのない高い信頼性を有するコインセレクタを提供することにある。
【００１８】
本発明のさらに他の目的は、駆動用ソレノイドの駆動力を低減でき、小型化・省電力化が可能なコインセレクタを提供することにある。
【００１９】
本発明のさらに他の目的は、コストを抑制しながら耐久性を高めることのできるコインセレクタを提供することにある。
【００２０】
ここに明記しない本発明の他の目的は、以下の説明および添付図面から明らかである。
【課題を解決するための手段】
【００２１】
この目的を達成するため、本発明にかかるコインセレクタは以下のように構成される。
【００２２】
（１）本発明のコインセレクタは、入口から出口に向けてコインを転動させるコイン通路と、前記コイン通路に突出して前記コインを前記コイン通路から排除するコイン排除位置と前記コイン通路から退出して前記コインの通過を許容するコイン受入位置とに変位可能なゲートと、前記ゲートよりも前記コイン通路の出口側に配置された支軸に回動自在に支持され、かつ、先端に前記ゲートを有する揺動レバと、を備える。
【００２３】
本発明のコインセレクタでは、前記ゲートは前記揺動レバの先端に設けられ、前記揺動レバは前記支軸に回動自在に支持される。そして、前記支軸は前記ゲートよりも前記コイン通路の出口側に配置される。換言すれば、前記支軸が前記コインの進行方向の下流側に設けられる。
【００２４】
前記ゲートが前記コイン受入位置から前記コイン排除位置へ変位する際に、前記ゲートが前記コイン通路を転動中の前記コインと接触（または、衝突）すると、前記ゲートには前記コインの進行方向に向かう力が作用する。前記ゲートは回動可能に支持された前記揺動レバの先端に設けられているので、前記ゲートに作用する力は前記揺動レバを回動させる。換言すれば、前記ゲートに作用する力は前記揺動レバを回動させるトルクに変換される。前記揺動レバの前記支軸は前記ゲートよりも前記コインの進行方向下流側に設けられるので、この場合には前記ゲートを突出させる方向に前記揺動レバが回動する。換言すれば、転動中の前記コインが前記ゲートに接触（または、衝突）することにより、前記ゲートの前記コイン通路への突出が促進される。したがって、前記ゲートが前記コイン受入位置から前記コイン排除位置へ変位する時間が短縮され、コイン排除動作の応答速度が十分に速くなり、ひいては、排除動作の信頼性が向上する。
【００２５】
また、駆動用ソレノイドの駆動力が小さくても十分な応答速度が得られるので、駆動用ソレノイドの駆動力を低減でき、低コスト化・小型化・省電力化が可能となる。
【００２６】
さらに、前記揺動レバの先端に前記ゲートを設けるという簡単な構成であるため、小型化が可能となり、前記ゲートの耐久性を高めるために耐摩耗性を有する材料を使用してもコストアップを十分に抑制できる。換言すれば、コストを抑制しながら、耐久性を高めることができる。
【００２７】
前記揺動レバを支持する前記支軸の軸線は、前記コイン通路内における前記コインの進行方向に対してほぼ垂直に配置されることが好ましい。それにより、前記ゲートに作用する力が前記揺動レバを回動させるトルクに変換される際の効率が高くなるからである。
【００２８】
（２）本発明の好ましい例では、前記ゲートおよび前記揺動レバの全体が平面視Ｌ字状である。この場合、前記ゲートに作用する力が前記揺動レバを回動させるトルクに変換される際の効率が高くなるので、コイン排除動作の応答速度が一層高められる利点がある。
【００２９】
（３）本発明の他の好ましい例では、前記揺動レバが、前記ゲートが前記コイン排除位置側に向かう方向に付勢されている。この場合、前記揺動レバに作用する付勢力が加わるので、コイン排除動作の応答速度がより一層高められる利点がある。
【００３０】
（４）本発明のさらに他の好ましい例では、前記ゲートが、前記コイン通路の延在方向に垂直な垂直面を鉛直軸線の回りに所定角度回転した面からなる斜面を有している。この場合、前記斜面の傾斜角度を適宜に設定することにより、コイン排除動作の応答速度を最適化できる利点がある。
【００３１】
ところで、前記コイン通路を転動中の前記コインは、前記ゲートへの接触（または、衝突）することにより転動速度が低下する。前記ゲートに前記斜面を設けると、前記ゲートへの接触（または、衝突）時に前記ゲートに作用する力は、前記斜面に平行な方向の水平分力と前記斜面に垂直な方向の垂直分力に分解される。そして、垂直分力が前記揺動レバを回動させるトルクとして作用すると共に、水平分力の方向に前記コインの進行方向が変化する。換言すれば、水平分力は前記コインを前記コイン通路から排除する力として作用する。その結果、前記ゲートに接触した前記コインが前記ゲートに留まることなく速やかに排除されるという利点がある。
【００３２】
（５）本発明のさらに他の好ましい例では、前記コイン通路に突出する前記ゲートが前記コイン通路内を転動する前記コインの下端部周縁に接触可能な位置に、前記ゲートが配置される。この場合、前記コインが間隔を開けずに数珠繋がりの状態で転動する際にも、前記コインの下部周面間に形成される隙間に前記ゲートを挿入して接触させることができ、確実な排除動作を実現できる利点がある。
【００３３】
（６）本発明のさらに他の好ましい例では、上記（５）の例において、前記コイン通路において前記コインの外周面を上方および下方から案内するガイドレールを備える。この場合、前記コインが前記ゲートに接触した際に前記ゲートを乗り上げる力が作用しても、前記ガイドレールによりそれを阻止でき、確実な排除動作を実現できる利点がある。
【００３４】
（７）本発明のさらに他の好ましい例では、前記揺動レバに接続されると共に前記支軸に支持された係止部と、前記係止部に係止溝を係止しながら摺動することで前記揺動レバを回動させるスライド部材と、前記スライド部材を摺動させる駆動手段と、を備える。この場合、直線運動を回転運動に変換するので、駆動手段にソレノイドを用いた場合、簡単な構成でありながら前記駆動手段の駆動力を確実に前記揺動レバの回動運動に変換でき、安価に製造できる利点がある。
【００３５】
（８）本発明のさらに他の好ましい例では、前記ゲートが、前記コインの接触に対して耐摩耗性を有するフッ素樹脂により形成される。この場合、軽量化と高い耐久性とを同時に実現できる。
【００３６】
（９）本発明のさらに他の好ましい例では、前記ゲートが、ポリテトラフルオロエチレンにより形成される。この場合、低コストで軽量化と高い耐久性とを同時に実現できる。
【発明の効果】
【００３７】
本発明のコインセレクタでは、（ａ）コイン排除動作の応答速度を十分に高めることができる、（ｂ）コイン排除動作を確実に実行でき、高い信頼性を有する、（ｃ）小型化・省電力化が可能である、（ｄ）コストを抑制しながら耐久性を高めることができる、といった効果が得られる。
【図面の簡単な説明】
【００３８】
【図１】本発明の一実施例のコインセレクタを示す正面斜視図である。
【図２】図１のコインセレクタの背面斜視図である。
【図３】図１のコインセレクタの正面図である。
【図４】図１のコインセレクタの背面図である。
【図５】図１のコインセレクタの主要構成を示す分解斜視図である。
【図６】図１のコインセレクタの内部を示す、扉体を取り除いた状態の正面図である。
【図７】図１のコインセレクタの扉体を示す背面図である。
【図８】図１のコインセレクタのゲート手段を示す斜視図である。
【図９】図４のIX−IX線に沿った断面図である。
【図１０】図１のコインセレクタのリジェクト手段の動作を示す、リジェクト前の（Ａ）は側面図、（Ｂ）は平面図である。
【図１１】図１のコインセレクタのリジェクト手段の動作を示す、リジェクト後の（Ａ）は側面図、（Ｂ）は平面図である。
【図１２】図１のコインセレクタの選別直径変更手段を示す、小径コイン用に設定された状態のコインセレクタ内部の斜視図である。
【図１３】図１２の状態のコインセレクタ内部の正面図である。
【図１４】図１３のXIV−XIV線に沿った断面図である。
【図１５】図１のコインセレクタの選別直径変更手段を示す、大径コイン用に設定された状態のコインセレクタ内部の正面図である。
【図１６】図１５の状態のコインセレクタ内部の斜視図である。
【図１７】図１６のXVII−XVII線に沿った断面図である。
【発明を実施するための形態】
【００３９】
以下、本発明の実施の形態を添付図面に基づいて説明する。
【実施例】
【００４０】
本発明の一実施例のコインセレクタ１００は、図１〜図７に示すように、コインセレクタ１００を構成する各種の部品が取り付けられた平面視コの字形の本体１０１と、本体１０１に回動自在に支持された扉体１０２と、本体１０１および扉体１０２の間に形成されたコイン通路１０３と、コイン通路１０３内でコインを下方から案内する第１ガイドレール１０４と、コイン通路１０３を転動するコインの真偽を直径に基づいて選別するコイン選別手段１０５と、コイン選別手段１０５により真正コインとして選別されたコインを受入または排除するゲート手段１０６と、ゲート手段１０６を通過したコインを検知するコイン検知手段１０７と、コイン通路１０３内のコインを強制的に排除するリジェクト手段１０８と、コイン選別手段１０４の選別直径を変更する選別直径変更手段１０９と、コインをコイン通路１０３内に受け入れるコイン入口１１０と、コイン通路１０３からコインを遊技機へ向けて排出するコイン出口１１１とを有している。
【００４１】
（本体）
本体１０１は、垂立する第１ガイド壁１１２、第１ガイド壁１１２の左右端部からそれぞれ直角に折り曲げられた左側壁１１４および右側壁１１６を含み、第１ガイド壁１１２、左側壁１１４および右側壁１１６によって垂立方向に延びる凹溝１１８が形成されている。第１ガイド壁１１２の表面は、コイン案内面１１３として機能する（図６参照）。
【００４２】
本体１０１の幅は３．５インチであり、所謂デフェクトスタンダードサイズと呼ばれる寸法である。左側壁１１４および右側壁１１６には外向きに突出する４つの取り付け用突起１２２が形成されており、これらの突起１２２を遊技機の取り付け溝（図示せず）に掛け止めすることによりコインセレクタ１００を遊技機に取り付けられるようなっている。
【００４３】
本体１０１の上端部には前面側に突出する突出部１２４が形成されており、突出部１２４には左側に延びる扉体支持用支軸１２６が設けられている（図６参照）。また、右側壁１１６にも左側に延びる扉体支持用支軸１２７が設けられ、これら２つの支軸１２６、１２７は左上がりに傾斜する同一軸線Ｌ１上に形成されている。
【００４４】
（扉体）
扉体１０２は、第１ガイド壁１１２と平行に配置される第２ガイド壁１３２と、第２ガイド壁１３２の周縁部から前面側に突出する扉体枠１３４とを有している。第２ガイド壁１３２の第１ガイド壁１１２との対向面は、コイン案内面１３３として機能する。第２ガイド壁１３２の中央には、後述のコイン通路１０３に沿って弧状のコイン落下開口１３５が形成されている。コイン落下開口１３５は、コイン通路１０３を転動するコインＣが小径の偽コインである場合にそのコインＣを落下させるためのものである。
【００４５】
扉体枠１３４は上側枠部１３６ａ、左側枠部１３６ｂ、下側枠部１３６ｃおよび右側枠部１３６ｄにより構成され、右側枠部１３６ｄには右側外方に突出する枠支持部１３８が形成されている。右側枠部１３６ｄおよび枠支持部１３８のそれぞれの外側面上部には、同一軸線Ｌ１上に配置された軸受１４０、１４１がそれぞれ形成されている（図５参照）。軸受１４０、１４１には本体１０１の支軸１２６、１２７がそれぞれ挿入され、扉体１０２が本体１０１に回動自在に支持される。すなわち、図１０および図１１に示すように、第１ガイド壁１１２に対し平行なガイド位置ＧＰと、下端部が第１ガイド壁１１２から離れる所定角度回動したリジェクト位置ＲＰとの間を、扉体１０２が回動可能に取り付けられる。
【００４６】
本体１０１の右上端部には背面に突出する円筒１５２が形成され、その円筒１５２内に掛止ピン１５３で固定されたスプリング１５４により付勢されるプッシャ１５６が配置される。プッシャ１５６は円筒１５２から扉体１０２側に突出して枠支持部１３８の右上端部に形成された被動斜面１４２を押圧し、それにより軸受１４１の軸回りのモーメントが生じ、扉体１０２が第１ガイド壁１１２に向かう所定力の付勢力を受ける。換言すれば、扉体１０２には、第１ガイド壁１１２に近づくように弾性的な回動力が常時作用する。
【００４７】
扉体１０２には、左側枠部１３６ｂから本体１０１側に突出し、第１ガイド壁１１２に形成された貫通孔１２８を通って本体１０１の背面に突出する被動片１４４が設けられている（図５参照）。後述するように、被動片１４４をリジェクト手段１０８により押すことにより、扉体１０２が支軸１２６、１２７を支点に第１ガイド壁１１２から離れる方向に回動され、リジェクト位置ＲＰへ移動可能である。
【００４８】
（ガイドレール）
図５および図７に示すように、第２ガイド壁１３２の背面（すなわち、第１ガイド壁１１２との対向面）には、第１ガイド壁１１２側に突出する突部１６２が形成されると共に、ガイドプレート１６４がネジ１６６により固定されている。突部１６２は斜め右下がり（図７では斜め左下がり）に上端面１７２を有し、ガイドプレート１６６は斜め右下がり（図７では斜め左下がり）の弧状の上端面１７４を有している。第１ガイド壁１１２には、凹溝１１８内に突出し、かつ、右下がりに傾斜する上面１７６を有する板状突出部１６８が形成されている。突部１６２の上端面１７２、ガイドプレート１６４の上端面１７４および板状突出部１６８の上面１７６は、コインＣの厚みよりも僅かに大きい幅（換言すれば、コインＣの厚みに対応した幅）を有し、連続して配置されている。これら上端面１７２、１７４および上面１７６は、コインＣの外周面を下方から案内するコイン案内面１８０として機能する。換言すれば、第２ガイド壁１３２の突部１６２、ガイドプレート１６４および第１ガイド壁１１２の板状突出部１６８が第１ガイドレール１０４を構成している。
【００４９】
ガイドプレート１６４は耐摩耗性を有する材料、例えば、金属材料により形成されるのが好ましい。価格を抑制しながら高い耐摩耗性を実現できるからである。
【００５０】
なお、第２ガイド壁１３２に突部１６２を形成せずに、ガイドプレート１６４と一体で突部１６２を形成することも可能であるし、第１ガイドレール１０４の全体をガイドプレート１６４で形成することもできる。
【００５１】
（コイン通路）
図６に示すように、本体１０１の凹溝１１８内には、第１ガイドレール１０４のコイン案内面１８０にほぼ平行なコイン案内面２０４を有する第２ガイドレール２０２が配置されている。
【００５２】
コイン通路１０３は、第１ガイド壁１１２の表面のコイン案内面１１３、第２ガイド壁１３２のコイン案内面１３３、第１ガイドレール１０４のコイン案内面１８０および第２ガイドレール２０２のコイン案内面２０４で画定される。コイン通路１０３は、略矩形の断面形状を有すると共に、図６に示すように、右方向に湾曲した平面形状を有している。
【００５３】
第１ガイド壁１１２のコイン案内面１１３には、第１ガイドレール１０４のコイン案内面１８０に沿って複数の突条１２９が形成されている。これらの突条１２９は、コイン入口１１０から垂直に下降してから湾曲した後、右下方に向けて延在してコイン出口１１１に達している。突条１２９は、コイン通路１０３を転動するコインＣの移動抵抗を低減する機能を有している。
【００５４】
（コイン選別手段）
コイン選別手段１０５は、コイン上端部側面ガイド２０６と逸らせ手段２１０とにより構成され、コイン通路１０３を転動するコインＣを直径により選別し、小径の偽コインをコイン通路１０３から排除する機能を有する。逸らせ手段２１０は、逸らせ体２１２と付勢手段２１４とを含んでいる。
【００５５】
コインＣの上端部側面を案内するコイン上端部側面ガイド２０６は、第２ガイドレール２０２のコイン案内面２０４から垂直下方に延び、第１ガイドレール１０４のコイン案内面１８０との間に所定の間隔を有している。この間隔は、選別対象のコイン（すなわち、真正コイン）の直径に対応した寸法に設定される、例えば、真正コインの直径よりも僅かに大きい値に設定される。
【００５６】
逸らせ体２１２は、本体１０１の背面の上端部に配置された支軸２１６に回転自在に支持され、第１ガイド壁１１２に形成された弧状開口１３０を通ってコイン通路１０３に進退可能に取り付けられている。逸らせ体２１２は、板状であり、コイン通路１０３の曲率に合わせて湾曲している。
【００５７】
逸らせ体２１２の第１ガイド壁１１２の背面側には、付勢手段２１４としての錘体２１８が取り付けられている。そのため、逸らせ体２１２には、支軸２１６を支点として、図５の紙面手前側に向かう方向に所定のモーメントが作用する。これにより、通常、逸らせ体２１２は所定のモーメントでコイン通路１０３に突出する。
【００５８】
逸らせ体２１２は、コイン通路１０３を転動するコインＣの上端側面を第２ガイド壁１３２側に押すことができるように、コイン通路１０３内において第２ガイドレール２０２に近接して配置されている。また、逸らせ体２１２の先端はコイン通路１０３に対し傾斜しているので、逸らせ体２１２がコイン通路１０３内に位置する場合、コイン入口１１０から投入されたコインＣは横方向に案内され、コイン通路１０６から押し出される力を受ける。
【００５９】
コイン通路１０３に導入されたコインＣが真正コインである場合、第１ガイドレール１０４に沿って転動するコインＣは、その上端部側面をコイン上端部側面ガイド２０６によって案内されるので、逸らせ体２１２に押されてもそのままコイン通路１０３を移動する。他方、コインＣが小径の偽コインである場合、その上端部側面はコイン上端部側面ガイド２０６に案内されないので、逸らせ体２１２に押されると第２ガイド壁１３２側に倒されてコイン落下開口１３５から落下する。
【００６０】
付勢手段２１４は、逸らせ体２１２に付勢力を与えればよいので、錘体２１８に代えてスプリングを用いることができる。しかし、錘体２１８を用いた場合、個々のバラツキが小さく品質が安定するので好ましい。
【００６１】
（ゲート手段）
ゲート手段１０６は、コインセレクタ１００が装着される遊技機の制御部（図示せず）により、コインＣの受入を許可または拒否するよう作動が制御される。すなわち、遊技機がコインＣの受入を許可する場合（受入許可状態の場合）にはコインＣを通過させ、コインの受入を拒否する場合（受入拒否状態の場合）にはコインＣをコイン通路１０３から排除するように、ゲート手段１０６が作動する。
【００６２】
図２、図４、図８および図９に示すように、ゲート手段１０６は、本体１０１の背面、換言すれば、第１ガイド壁１１２の背面に配置され、ゲート３０２および揺動レバ３０４を含んでいる。
【００６３】
ゲート３０２は、ほぼ三角柱の外形状を有し、平面視Ｌ字形の揺動レバ３０４の先端に設けられている。そして、ゲート３０２および揺動レバ３０４の全体が平面視Ｌ字の形状を有している。揺動レバ３０４の基端は、支軸３０６に回動自在に支持された回動部３０８の円柱状外周面に接続されている。回動部３０８の底部の偏心位置には円柱状の係止部３１０が形成されている。ゲート３０２、揺動レバ３０４、回動部２０８および係止部３１０は一体で形成され、それらの全体が支軸３０６の回りを回動可能である。なお、必要に応じて、ゲート３０２、揺動レバ３０４、回動部２０８および係止部３１０の一部または全部を個別に作製して組み立てることも可能である。しかし、寸法精度およびコストの観点から一体で形成されることが好ましい。
【００６４】
図４および図９に示すように、揺動レバ３０４を支持する支軸３０６は、コイン通路１０３の第１ガイド壁１１２側において、第１ガイド壁１１２にほぼ平行に配置され、かつ、コイン通路１０３を転動するコインＣの進行方向ＤＲに対してほぼ垂直に配置される。換言すれば、コイン通路１０３に対し所定の距離ずれて支軸３０６が配置される。支軸３０６は、コイン通路１０３の延在線に対して正面視垂直方向に配置される。また、支軸３０６は、ゲート３０２よりもコイン通路１０３の下流側に配置される。換言すれば、支軸３０６は、ゲート３０２よりもコイン通路１０３の出口１１１側に配置される。
【００６５】
図６および図９に示すように、ゲート３０２は、第１ガイドレール１０４を構成する板状突部１６８上において、第１ガイド壁１１２に形成された貫通孔１３１を通って出没自在である。換言すれば、ゲート３０２は、コイン通路１０３に突出する位置Ｐ２と、コイン通路１０３から退出した位置Ｐ１に変位可能である。ゲート３０２は、板状突部１６８（すなわち、第１ガイドレール１０４）に隣接して配置される。換言すれば、ゲート３０２は、コイン通路１０３に突出した状態で、コイン通路１０３を転動するコインＣの下端部周縁に接触可能な位置に配置される。
【００６６】
ゲート３０２が突出位置Ｐ２に位置する場合、コイン通路１０３を転動するコインＣはゲート３０２に接触して進行を阻まれてコイン通路１０３から排除される。ゲート３０２が退避位置Ｐ１に位置する場合、コイン通路１０３を転動するコインＣはそのままゲート手段１０６を通過してコイン出口１１１を介して遊技機内に受け入れられる。換言すれば、ゲート３０２は、コイン排除位置として機能する突出位置Ｐ２と、コイン受入位置として機能する退出位置Ｐ１との間を変位可能である。
【００６７】
図８および図９に示すように、ゲート３０２は、コイン通路１０３に突出した場合にコイン通路１０３を横断し、かつ、コインＣの進行方向（換言すれば、コイン通路１０３の延在方向）ＤＲと対向する斜面３０３を有している。すなわち、コイン通路１０３の延在方向ＤＲに垂直な垂直面を鉛直軸線の回りに所定角度回転した面からなる斜面３０３を有し、鉛直軸の上方から見て垂直面から斜面３０３に向かう角度が鋭角をなす。そのため、ゲート３０２に接触したコインＣは、その斜面３０３に沿った方向に逸らされてコイン通路１０３から速やかに排除される。斜面３０３とコインＣの進行方向に対する傾斜角度は、コインＣを排除する能力がより高まるように適宜設定される。斜面３０３としては平面または湾曲面が適宜選択される。湾曲面は、例えば、突出位置Ｐ２においてコイン通路１０３側に突出する凸型湾曲面である。
【００６８】
ゲート３０２は、軽量化および高い耐久性を実現するため、耐摩耗性を有するフッ素樹脂により形成され、好ましくは、ポリテトラフルオロエチレンにより形成される。低コストで軽量化と高い耐久性とを同時に実現できるからである。
【００６９】
図４および図８に示すように、係止部３１０は、第１ガイド壁１１２の背面においてその背面に平行に摺動可能に配置されたスライド部材３１２の係止溝３１４に係止されている。スライド部材３１２は支軸３０６に垂直な方向に延びるほぼ直方体の外形状を有し、係止溝３１４はスライド部材３１２の一端に設けられた２つの突起部３１３ａ、３１３ｂの間に形成されている。スライド部材３１２の他端には、支軸３０６に平行な方向に延びる被動片３１８が設けられている。
【００７０】
第１ガイド壁１１２の背面に配置された駆動手段３２０は、アーマチャ３２４を有するソレノイド３２２である。ソレノイド３２２は、ネジ３３４によって枠体３３２に固定されている。アーマチャ３２４の先端はスライド部材３１２の被動片３１８に接続されている。アーマチャ３２４は、被動片３１８およびソレノイド３２２の間に配置されたスプリング３２６により、アーマチャ３２４が突出する方向に、換言すれば、被動片３１８がソレノイド３２２から遠ざかる方向に付勢されている。スプリング３２６の付勢力は、スライド部材３１２、係止部３１９および回動部３０８を介して揺動レバ３０２に伝わり、揺動レバ３０４を図９の反時計方向に回動させ、ゲート３０２をコイン通路１０３に突出させる方向に作用する。
【００７１】
（コイン検知手段）
図６に示すように、コイン検知手段１０７は、コイン通路１０３のコイン出口１１１近傍に配置され、ゲート３０２に排除されることなくゲート手段１０６を通過したコインＣを検知する。コイン検知手段１０７は、透過型光電センサ、反射型光電センサ、磁気センサおよび接触センサ等使用することができ、複数配置することが好ましい。検知信号の出力順等を判別することにより、外部から挿入した不正用器具挿入による不正を判別できるからである。また、異なる方式のセンサを用いた場合、不正を行うには異なるセンサに対応して誤検知を生じるよう行わねばならないため、不正を一層困難にする利点がある。
【００７２】
ここでは、コイン検知手段１０７は、コイン通路１０３の上流側に配置された透過型光電式の第１コインセンサ４０２と、それより下流側に配置された磁気式の第２コインセンサ４０４とを含んでいる。第１コインセンサ４０２は、コイン通路１０３を挟んで投光部と受光部とが配置されている。第２コインセンサ４０４は、コイン通路１０３を挟んでコイルが配置されている。第１および第２のコインセンサ４０２、４０４はセンサ保持体４０６（図５参照）を介して本体１０１に取り付けられている。
【００７３】
（リジェクト手段）
リジェクト手段１０８は、コイン通路１０３においてジャムしたコインＣをコイン通路１０３から排除する機能を有する。リジェクト手段１０８は、第１ガイド壁１１２に隣接して伸び、かつ、ピボット軸である支軸２１６に軸受（図示せず）が回動自在に取り付けられた板状の被動レバ５０４と、被動レバ５０４から下方へ伸びる押動レバ５０６とからなり、扉体１０２をリジェクト位置ＲＰへ移動させる機能を有する。
【００７４】
被動レバ５０４は、押動レバ５０６の下端部を扉体１０２の被動片１４４の先端に相対させながら、通常は自己モーメントにより図１０（Ａ）において時計方向へ回動される。その状態で、図１０（Ｂ）に示すように、係止部５０５の端面が本体１０１の背面に係止され、図１０に示すように、扉体１０２がほぼ垂立状態のガイド位置ＧＰに保持される。
【００７５】
コインＣがコイン通路１０３においてジャムして転動しなくなった場合、遊技機の返却レバ(図示せず)が操作される。その場合、被動レバ５０４の端部が押し下げられ、図１０（Ａ）において反時計方向へ回動され、図１１（Ｂ）の状態まで回動される。これにより、押動レバ５０６が被動片１４４を押動するので、図１１に示すように、扉体１０２が回動されてリジェクト位置ＲＰに位置する。この状態では、ガイドプレート１６４が第１ガイド壁１１２からコインＣの厚み以上離れ、コイン通路１０３において転動出来なくなったコインＣは第１ガイドレール１０４から落下する。そして、落下したコインＣは、凹溝１１８内のリジェクト通路５０８を垂直方向へ落下してリジェクトされる。
【００７６】
（選別直径変更手段）
図１２〜図１７に示すように、選別直径変更手段１０９は、上端部側面ガイド２０６を構成する第１ガイド部材６０６および第２ガイド部材６２２と、第２ガイド部材６２２の保持手段として機能する保持体６４０とを含んでいる。選別直径変更手段１０９は、コイン選別手段１０５における選別直径を小径コイン用または大径コイン用（例えば、φ２５ｍｍまたはφ３０．８ｍｍ）に設定変更する機能を有する。
【００７７】
第１ガイド部材６０６は、平板状であり、第１ガイドレール１０４のコイン案内面１８０に沿って形成された下端面６０８を有し、その下端面６０８が第１ガイドレール１０４のコイン案内面１８０から所定の第１の間隔ｄ１を有するように配置される（図１７）。第１ガイド部材６０６が大径コインの上端部側面を案内することができるように、第１の間隔は大径コインの選別直径よりも僅かに小さい寸法に設定されている。第１ガイド部材６０６は、第１ガイド壁１１２から第２ガイド壁１３２側に突出し、かつ、第１ガイドレール１０４に対向して設けられた支持部６０２に固定されている。
【００７８】
支持部６０２の下面は、大径コインに対応するコイン案内面６０４であり、第１ガイドレール１０４のコイン案内面１８０に沿って形成されている。コイン案内面６０４は第１ガイドレール１０４のコイン案内面１８０から所定の間隔を有して配置され、選別直径が大径コイン用に設定された場合に支持部６０２が第２ガイドレール２０２として機能する。なお、支持部６０２は第１ガイド側壁１１２と一体で形成されているが、別体で形成された支持部６０２を第１ガイド側壁１１２に取り付けた構成とすることも可能である。
【００７９】
第２ガイド部材６２６は、平板状であり、第１ガイドレール１０４のコイン案内面１８０に沿って形成された下端面６２８を有し、への字形の断面形状を有する保持体６４０にネジ（図示せず）により固定されている。図１２〜図１４は、選別直径が小径コインに設定された場合であり、この状態において、第２ガイド部材６２６の下端面６２８は、第１ガイドレール１０４のコイン案内面１８０から所定の第２の距離ｄ２を有するように配置される（図１４）。
【００８０】
保持体６４０は、第２ガイド部材６２２を支持する支持面６４８を有する第１部分６４２と、第１部分６４２の支持面６４８にほぼ平行な方向に延びると共に一端が第１部分６４２に接続された第２部分６４４と、第１部分６４２の支持面６４８に対して所定の角度をなす方向に延びると共に一端が第２部分６４４に接続された第３部分６４６と、を有している。第１、第２および第３の部分６４２、６４４、６４６は、一体に形成されている。なお、第１、第２および第３の部分６４２、６４４、６４６を別体として形成することもできるが、寸法精度およびコストの観点から一体で形成することが好ましい。
【００８１】
第１部分６４２の先端には、第１ガイドレール１０４のコイン案内面１８０に対向する支持部６２２が形成されている。支持部６２２の下面は、小径コインに対応するコイン案内面６２４であり、第１ガイドレール１０４のコイン案内面１８０に沿って形成されている。コイン案内面６２４は第１ガイドレール１０４のコイン案内面１８０から所定の間隔を有して配置され、選別直径が小径コイン用に設定された場合に支持部６２２が第２ガイドレール２０２として機能する。
【００８２】
第３部分６４６は、第２部分６４４（換言すれば、支持面６４８）に対して所定角度θで傾斜している（図１４参照）。第２部分６４４および第３部分６４６には、ネジ挿入孔６５２、６５４がそれぞれ形成されている（図４参照）。
【００８３】
第１ガイド壁１１２の背面には、ネジ挿入孔６５２、６５４のそれぞれに対応する位置にネジ穴（図示せず）を有する台座６８２が設けられている。保持体６４０は、ネジ挿入孔６５２、６５４のいずれか一方を使用して、対応する台座６８２のネジ穴にネジ６６０を挿入して固定される（図４、図１４および図１７参照）。
【００８４】
第１ガイド壁１１２には背面から正面に達する開口６６２が形成され、保持体６４０に支持された第２ガイド部材６２６が開口６６２を通ってコイン通路１０３内に出没可能である。換言すれば、第２ガイド部材６２６は、開口６６２を通ってコイン通路１０３の内外に移動可能である。
【００８５】
ネジ挿入孔６５２にネジ６６０が挿入され、保持体６４０が第２部分６４４を介して台座６２８に固定された場合、図１２〜図１４に示すように、第２ガイド部材６２６が第１ガイドレール１０４と第１ガイド部材６０６の間に配置される。換言すれば、第２ガイド部材６２６は第１ガイドレール１０２から第１の間隔ｄ１を有する第１の位置ＰＳ１に配置される。さらに換言すれば、第２ガイド部材６２６はコイン通路１０３に配置される。そのため、第２ガイド部材６２６がコインＣの上端部側面を案内するガイドとして機能し、選別直径が小径コイン用に設定される。
【００８６】
ネジ挿入孔６５４にネジ６６０が挿入され、保持体６４０が第３部分６４６を介して台座６２８に固定された場合、図１５〜図１７に示すように、第２ガイド部材６２６が第１ガイドレール１０４と第１ガイド部材６０６の間から排除される。換言すれば、第２ガイド壁６２６はコイン通路１０３外の第２の位置ＰＳ２に配置される。そして、第１ガイド壁６０２および支持部６０２がコイン通路１０３に配置される。そのため、第１ガイド部材６０６がコインＣの上端部側面を案内するガイドとして機能し、選別直径が大径コイン用に設定される。
【００８７】
第２ガイド部材６２６の上端面６２９には平面視三角形状の位置合わせ凸部６７２が形成され、第１ガイド部材６０２の下端面６０８には平面視三角形形状の位置合わせ凹部６７４が形成されている。位置合わせ凸部６７２および位置合わせ凹部６７４は、互いに噛み合い可能となる位置に配置され、かつ、形状を有している。第２ガイド部材６２６が第１の位置ＰＳ１に配置された場合に、位置合わせ凸部６７２および位置合わせ凹部６７４が噛み合うことにより、第２ガイド部材６２６が自動的に位置決めされる。
【００８８】
（コインセレクタの動作）
遊技機が受入拒否状態の時、ソレノイド３２２が消磁され、アーマチャ３２４はスプリング３２６の付勢力により突出されている。これにより、揺動レバ３０４が図９の反時計方向に回動され、ゲート３０２は突出位置Ｐ２の位置に保持される。
【００８９】
コイン入口１１０にコインＣが投入され、かつ、そのコインＣが真正コインである場合、コインＣは第１ガイド壁１１２、第２ガイド壁１３２、第１ガイドレール１０４および第２ガイドレール２０２のそれぞれのコイン案内面１１３、１３３、１８０、２０４に案内されながらコイン通路１０３を転動する。この時、コインＣの上端部側面はコイン上端部側面ガイド２０６によって案内され、コインＣの下端部側面は第２ガイド壁１３２のコイン案内面１３３に案内される。そのため、コイン選別手段１０５の逸らせ体２１２から横方向に押す力が作用しても、そのままコイン通路１０３を転動してゲート手段１０６に達する。
【００９０】
こうしてゲート手段１０６に達したコインＣは突出位置Ｐ２に位置するゲート３０２に接触し、コインＣの下端部周縁がゲート３０２の斜面３０３に沿って逸らされる。この際、コインＣに上向きの力が作用してゲート３０２を乗り越えようとしても、第２ガイドレール２０２のコイン案内面２０４がコインＣの上方への移動量を規制する。その結果、コインＣは下端部周縁側から徐々に外側に向かう力が作用してコイン通路１０３の外部に排除され、リジェクト通路５０８に落下する。
【００９１】
コイン入口１１０に投入されたコインＣが小径の偽コインである場合、第１ガイドレール１０４上を転動したコインＣは、コイン選別手段１０５においてコイン上端部側面ガイド２０６に案内されず、逸らせ体２１２の横方向から押す力によりコイン落下開口１３５からコイン通路１０３外に押し出され、リジェクト通路５０８に落下する。
【００９２】
コイン入口１１０に投入されたコインＣが大径の偽コインである場合、第１ガイドレール１０４および第２ガイドレール２０２の間に挟まり、コイン通路１０３を転動できない。この場合、リジェクト手段１０８が適用され、コインＣが排除される。すなわち、遊技機の返却レバの操作により被動レバ５０４が図１０（Ａ）の反時計方向に回動され、図１１（Ａ）の位置へ回動される。これにより、押動レバ５０６の下端は被動片１４４を押動し、扉体１０２を軸線Ｌ１回りに回動させてリジェクト位置ＲＰへ回動させる（図１１（Ａ）および（Ｂ）参照）。その結果、扉体１０２のガイドプレート１６４と本体１０１のコイン案内面１１３との間にはコインＣの厚み以上の間隔が形成され、動けなくなったコインＣが第１ガイドレール１０４からリジェクト通路５０８に落下する。
【００９３】
遊技機が受入許可状態の時、ソレノイド３２２が励磁され、アーマチャ３２４はスプリング３２６の付勢力に抗してソレノイド３２２側に移動している。そのため、揺動レバ３０４が図９の時計方向に回動され、ゲート３０２は退避位置Ｐ１の位置に保持される。
【００９４】
この状態でコイン入口からコインＣが投入され、かつ、そのコインＣが真正コインである場合、受入拒否状態の時と同様に、コインＣは第１ガイドレール１０４上を転動してコイン選別手段１０５で排除されることなくゲート手段１０６に達する。そして、コインＣはゲート３０２で排除されることなくゲート手段１０６を通過し、コイン検知手段１０７で通過を検知された後、コイン出口１１１を介して遊技機に受け入れられる。
【００９５】
コイン検知手段１０７では、コインＣが第１コインセンサ４０２の透過光を遮断するので第１コインセンサ４０２が検知信号を出力し、直後に第２コインセンサ４０４が金属製のコインＣを検知して検知信号を出力する。これら検知信号は、真正コインの数量カウント等に用いられる。
【００９６】
コイン入口１１０に投入されたコインＣが小径の偽コインである場合や大径の偽コインである場合は、受入拒否状態の時と同様であるため、ここではその説明を省略する。
【００９７】
遊技機が受入許可状態から受入拒否状態に変更された時、ソレノイド３２２が励磁状態から消磁状態に変化する。これにより、スプリング３２６の付勢力によって揺動レバ３０４が図９の反時計方向に回動され、ゲート３０２が退避位置Ｐ１から突出位置Ｐ２に変位する。特に、コインＣがコイン入口１１０に連続的に投入されている状態で、受入許可状態から受入拒否状態に変更された場合、コイン通路１０３には転動中のコインＣが存在することになるので、ゲート手段１０６には高い応答速度が要求される。
【００９８】
この実施例のコインセレクタ１００では、ゲート３０２が退避位置（すなわち、コイン受入位置）Ｐ１から突出位置（すなわち、コイン排除位置）Ｐ２へ変位する際に、ゲート３０２がコイン通路１０３を転動中のコインＣと接触すると、ゲート３０２にはコインＣの進行方向に向かう力が作用する。ゲート３０２は回動可能に支持された揺動レバ３０４の先端に設けられているので、ゲート３０２に作用する力は揺動レバ３０４を回動させる。揺動レバの３０４を支持する支軸３０６はゲート３０２よりもコインＣの進行方向下流側に設けられるので、この場合にはゲート３０２を突出させる方向に揺動レバ３０４が回動する。すなわち、転動中のコインＣの周面がゲート３０２の斜面３０３に衝突した場合、ゲート３０２は偏心位置に力を受けるので、その偏心側に回動される。図９において反時計方向に回動され、コイン通路１０３に突出するようストッパによって停止されるまで回動される。したがって、コインＣの転動速度に比例した力がゲート３０２を突出させる方向に作用する。そのため、ゲート３０２がゲート３０２が退避位置（すなわち、コイン受入位置）Ｐ１から突出位置（すなわち、コイン排除位置）へ変位する時間が短縮され、コイン排除動作の応答速度が十分に速くなり、ゲート手段１０６としての信頼性が向上する。
【００９９】
また、揺動レバ３０４の先端にゲート３０２を設けるという簡単な構成であるため、小型化が可能となり、ゲート３０２の耐久性を高めるために耐摩耗性を有する材料を使用してもコストアップを十分に抑制できる。すなわち、コストを抑制しながら、耐久性を高めることができる。
【０１００】
（選別直径の変更方法）
選別直径を小径コイン用に設定する場合、図４、図１２〜図１４に示すように、第２ガイド部材６２６は、ネジ挿入孔６５２に挿入されたネジ６６０により、保持体６４０の第２部分６４４および台座６８２を介して第１ガイド壁１１２の背面に固定される。そのため、保持体６４０が開口６６２を通って第１ガイド壁１１２の背面から正面に延在し、第２ガイド部材６２６および保持体６４０の支持部６０２がコイン通路１０３内に配置される。すなわち、第２ガイド部材６２６が第１の位置ＰＳ１に配置され、選別直径が小径コイン用に設定される。
【０１０１】
第２ガイド部材６２６を第１の位置ＰＳ１に配置する際、第２ガイド部材６２６の位置合わせ凸部６７２を第１ガイド部材６０６の位置合わせ凹部６７４に噛み合せながら、保持体６４０が第１ガイド壁１１２の背面に固定される。したがって、第２ガイド部材６２６は、第１ガイド部材６０６に対して自動的に位置決めされる。換言すれば、第２ガイド部材６２６は、第１ガイド部材６０６を介して、第１ガイド壁１１２に対して自動的に位置決めされる。そのため、第２ガイド部材６２６の位置合わせを容易かつ高精度に行うことができる。
【０１０２】
選別直径を大径コイン用に設定する場合、図１５〜図１７に示すように、第２ガイド部材６２６は、ネジ挿入孔６５４に挿入されたネジ６６０により、保持体６４０の第３部分６４６および台座６８２を介して第１ガイド壁１１２の背面に固定される。そのため、保持体６４０が開口６６２を通って第１ガイド壁１１２の正面から背面に移動し、第２ガイド部材６２６および保持体６４０の支持部６０２がコイン通路１０３から退出され、コイン通路１０３外に配置される。すなわち、第２ガイド部材６２６が第２の位置ＰＳ２に配置され、選別直径が大径コイン用に設定される。
【０１０３】
第１ガイド壁１１２に固定される部分を第２部分６４４から第３部分６４６に変更する際、図１４および図１７に示すように、保持体６４０による下方へのスライド移動と背面側への回転移動がなされ、第２ガイド部材６２６が開口６６２を通って第１ガイド壁１１２の背面側に収納される。そのため、簡単な操作で選別直径の変更が可能であり、部品の交換も必要としない。しかも、スライド移動および回転移動が組み合されたことにより、第２ガイド部材６２６の移動に必要な空間が小さく、スペースの利用効率が高く小型化が可能である。
【産業上の利用可能性】
【０１０４】
本発明は、パチスロ等のスロットマシンを一例とするコインを使用する遊技機、両替機、自動販売機、券売機などのコイン処理装置との組み合わせで好適に利用できる。
【符号の説明】
【０１０５】
Ｃ  コイン
ＧＰ  ガイド位置
ＲＰ  リジェクト位置
Ｌ１  軸線
Ｐ１  退避位置（コイン受入位置）
Ｐ２  突出位置（コイン排除位置）
ＰＳ１  第１の位置
ＰＳ２  第２の位置
１００  コインセレクタ
１０１  本体
１０２  扉体
１０３  コイン通路
１０４  第１ガイドレール
１０５  コイン選別手段
１０６  ゲート手段
１０７  コイン検知手段
１０８  リジェクト手段
１０９  選別直径変更手段
１１０  コイン入口
１１１  コイン出口
１１２  第１ガイド壁
１１３  第１ガイド壁のコイン案内面
１１４  左側壁
１１６  右側壁
１１８  凹溝
１２２  取り付け用突起
１２４  突出部
１２６、１２７  扉体支持用支軸
１２８  貫通孔
１２９  突条
１３０  弧状開口
１３１  貫通孔
１３２  第２ガイド壁
１３３  第２ガイド壁のコイン案内面
１３４  扉体枠
１３５  コイン落下開口
１３６ａ  上側枠部
１３６ｂ  左側枠部
１３６ｃ  下側枠部
１３６ｄ  右側枠部
１３８  枠支持部
１４０、１４１  軸受
１４２  被動斜面
１４４  被動片
１５２  円筒
１５３  掛止ピン
１５４  スプリング
１５６  プッシャ
１６２  第２ガイド壁の突部
１６４  ガイドプレート
１６６  ネジ
１６８  第１ガイド壁の板状突部
１７２、１７４  上端面
１７６  上面
１８０  第１ガイドレールのコイン案内面
２０２  第２ガイドレール
２０４  第２ガイドレールのコイン案内面
２０６  コイン上端部側面ガイド
２１０  逸らせ手段
２１２  逸らせ体
２１４  付勢手段
２１６  支軸
２１８  錘体
３０２  ゲート
３０３  ゲートの斜面
３０４  揺動レバ
３０６  支軸
３０８  回動部
３１０  係止部
３１２  スライド部材
３１３ａ、３１３ｂ  突起部
３１４  係止溝
３１６、３１７  突起
３１８  被動片
３２０  駆動手段
３２２  ソレノイド
３２４  アーマチャ
３２６  スプリング
３３２  枠体
３３４  ネジ
４０２  第１コインセンサ
４０４  第２コインセンサ
４０６  センサ支持体
５０４  被動レバ
５０６  押動レバ
５０８  リジェクト通路
６０２  支持部
６０４  支持部のコイン案内面
６０６  第１ガイド部材
６０８  第１ガイド部材の下端面
６２２  支持部
６２４  支持部のコイン案内面
６２６  第２ガイド部材
６２８  第２ガイド部材の下端面
６２９  第２ガイド部材の上端面
６４０  保持体
６４２  保持体の第１部分
６４４  保持体の第２部分
６４６  保持体の第３部分
６４８  支持面
６５２、６５４  ネジ挿入孔
６６０  ネジ
６６２  開口
６７２  位置合わせ凸部
６７４  位置合わせ凹部
６８２  台座
【図１】
2012160087.tif 000003
【図２】
2012160087.tif 000004
【図３】
2012160087.tif 000005
【図４】
2012160087.tif 000006
【図５】
2012160087.tif 000007
【図６】
2012160087.tif 000008
【図７】
2012160087.tif 000009
【図８】
2012160087.tif 000010
【図９】
2012160087.tif 000011
【図１０】
2012160087.tif 000012
【図１１】
2012160087.tif 000013
【図１２】
2012160087.tif 000014
【図１３】
2012160087.tif 000015
【図１４】
2012160087.tif 000016
【図１５】
2012160087.tif 000017
【図１６】
2012160087.tif 000018
【図１７】
2012160087.tif 000019